(57)【要約】      （修正有）【課題】確実に冊子のページを分離し、重送や空送を回避することができるページめくり機構を提供する。【解決手段】冊子９０のページをめくる前に、押圧部材２と分離部材１０との離間距離を変化させて、最上ページ９０ｄを押圧部材２と分離部材１０間で上方に膨出させ、ページ状態検出センサ４１で、最上のページの状態を検知し、押圧部材２と分離部材１０との離間距離と、上方に膨出させた最上ページ９０ｄが、ページが重なっている状態、ページが１枚の状態、及びページが膨出されていない状態のいずれか状態との関係を記憶した押圧位置テーブルを作成し、当該押圧位置テーブルから、最上ページを分離する際に最適な押圧部材２と分離部材１０との離間距離を選択して、重送及び空送を回避する。【選択図】図９
2010228177.tif 000002
【特許請求の範囲】
【請求項１】
重ね合わされた複数枚のページの一端が綴じ部で綴じられた冊子のページを、１ページずつめくるページめくり機構において、
冊子を保持する保持手段と、
前記保持手段で見開き状態で保持された冊子の最上ページの一部を押圧する押圧部材と、
前記押圧部材を、冊子の自由端から綴じ部方向又はこれと反対方向に移動させる移動手段と、
前記最上ページの一部と接触する分離部材と、
前記最上ページの一部を前記押圧部材で押圧させた状態で、前記分離部材を、前記最上ページの前記押圧部材で押圧している位置よりも自由端側に接触させながら、前記最上ページを前記冊子の綴じ部方向に移動させることで、前記最上ページを前記押圧部材と分離部材との間で膨出させて、前記最上ページと次ページとを分離するページ分離手段と、
前記ページ分離手段が膨出させて分離した前記最上ページの裏面側からシャフトを挿入し、当該シャフトを綴じ部側に移動させることで、前記最上ページをめくるページめくり手段と、
前記ページ分離手段で膨出させた最上ページが、ページが重なっている状態、ページが１枚の状態、及びページが膨出されていない状態のいずれかにあるかを検知するページ状態検知手段と、
前記押圧部材と分離部材との離間距離と、前記ページ分離手段で膨出させた最上ページが、ページが重なっている状態、ページが１枚の状態、及びページが膨出されていない状態のいずれか状態との関係を記憶した押圧位置テーブルを記憶する記憶手段と、
前記ページ分離手段で前記最上ページを膨出させたときの、前記押圧部材の綴じ部からの位置と、前記ページ状態検知手段が検知した検知結果を前記押圧位置テーブルに記入する記入手段と、
前記押圧位置テーブルを参照して、最上ページを分離する際の前記押圧部材と分離部材との離間距離を決定する押圧位置決定手段とを有し、
前記ページめくり手段で最上ページをめくる前に、前記記入手段が押圧位置テーブルに検知結果を記入し、前記圧位置決定手段が最上ページを分離する際の前記押圧部材と分離部材との離間距離を決定するように構成したことを特徴とするページめくり機構。
【請求項２】
ページ状態検知手段を、押圧部材の移動に随伴させるように構成したことを特徴とする請求項１に記載のページめくり機構。
【請求項３】
請求項１又は請求項２のいずれかに記載のページめくり機構と、
前記ページめくり機構がめくった後に、新しく見開かれたページを読み取る読取部と、
を有することを特徴とするページめくり機構付読取装置。
【発明の詳細な説明】
【技術分野】
【０００１】
本発明は、冊子のページを順次めくる技術に関する。
【背景技術】
【０００２】
従来から、特許文献１に示されるようなページめくり機構がある。このページめくり機構は、それぞれ、独立して回転可能な複数のページめくりローラの、それぞれの回転開始時期を異ならせることにより、最上ページを捩って当該最上ページと次ページとを分離し、１ページのみをめくるように構成した装置である。このように、冊子の最上ページを分離してから、ページをめくるようにしたのは、静電気等密着した２枚以上のページをめくってしまわないようにするためである。
【０００３】
しかしながら、このようなページめくり機構では、ページを捩る動作を有することから、捩られるページにストレスがかかってしまい、前記ページが破れてしまう恐れがある。
【０００４】
そこで、特許文献２に示されるよう給紙装置がある。給紙装置は、重ね合わされた用紙と上方から接触する回転ローラと、前記用紙を押圧する押さえ手段を有していて、前記回転ローラと前記押さえ手段との間で、用紙を上側に膨出させて、最上の用紙と、次の用紙とを分離する機構を備えている。
【先行技術文献】
【特許文献】
【０００５】
【特許文献１】特開平４−２１６９９６号公報
【特許文献２】特開平７−６９４６８号公報
【発明の概要】
【発明が解決しようとする課題】
【０００６】
しかしながら、紙質（紙の厚さや、紙のこし）が変化すると、最上の用紙と次の用紙とを分離することができず、複数枚の用紙を給紙してしまう（重送）問題があった。或いは、回転ローラと押さえ手段との間で、用紙上側に膨出させることができず、用紙を送給できない（空送）という問題があった。このような用紙を分離する機構を、冊子のページめくり機構に適用する場合にも、前記重送や空送の問題が生じてしまう。本発明は、上記問題を解決し、確実にページを分離し、重送や空送を回避することができるページめくり機構を提供することを目的とする。
【課題を解決するための手段】
【０００７】
上記課題を解決するためになされた請求項１に記載の発明は、
重ね合わされた複数枚のページの一端が綴じ部で綴じられた冊子のページを、１ページずつめくるページめくり機構において、
冊子を保持する保持手段と、
前記保持手段で見開き状態で保持された冊子の最上ページの一部を押圧する押圧部材と、
前記押圧部材を、冊子の自由端から綴じ部方向又はこれと反対方向に移動させる移動手段と、
前記最上ページの一部と接触する分離部材と、
前記最上ページの一部を前記押圧部材で押圧させた状態で、前記分離部材を、前記最上ページの前記押圧部材で押圧している位置よりも自由端側に接触させながら、前記最上ページを前記冊子の綴じ部方向に移動させることで、前記最上ページを前記押圧部材と分離部材との間で膨出させて、前記最上ページと次ページとを分離するページ分離手段と、
前記ページ分離手段が膨出させて分離した前記最上ページの裏面側からシャフトを挿入し、当該シャフトを綴じ部側に移動させることで、前記最上ページをめくるページめくり手段と、
前記ページ分離手段で膨出させた最上ページが、ページが重なっている状態、ページが１枚の状態、及びページが膨出されていない状態のいずれかにあるかを検知するページ状態検知手段と、
前記押圧部材と分離部材との離間距離と、前記ページ分離手段で膨出させた最上ページが、ページが重なっている状態、ページが１枚の状態、及びページが膨出されていない状態のいずれか状態との関係を記憶した押圧位置テーブルを記憶する記憶手段と、
前記ページ分離手段で前記最上ページを膨出させたときの、前記押圧部材の綴じ部からの位置と、前記ページ状態検知手段が検知した検知結果を前記押圧位置テーブルに記入する記入手段と、
前記押圧位置テーブルを参照して、最上ページを分離する際の前記押圧部材と分離部材との離間距離を決定する押圧位置決定手段とを有し、
前記ページめくり手段で最上ページをめくる前に、前記記入手段が押圧位置テーブルに検知結果を記入し、前記圧位置決定手段が最上ページを分離する際の前記押圧部材と分離部材との離間距離を決定するように構成したことを特徴とする。
【０００８】
請求項２に記載の発明は、請求項１に記載の発明において、
ページ状態検知手段を、押圧部材の移動に随伴させるように構成したことを特徴とする。
【０００９】
請求項３に記載の発明は、
請求項１又は請求項２のいずれかに記載のページめくり機構と、
前記ページめくり機構がめくった後に、新しく見開かれたページを読み取る読取部と、
を有することを特徴とする。
【発明の効果】
【００１０】
請求項１に記載の発明は、冊子を保持する保持手段と、前記保持手段で見開き状態で保持された冊子の最上ページの一部を押圧する押圧部材と、前記押圧部材を、冊子の自由端から綴じ部方向又はこれと反対方向に移動させる移動手段と、前記最上ページの一部と接触する分離部材と、前記最上ページの一部を前記押圧部材で押圧させた状態で、前記分離部材を、前記最上ページの前記押圧部材で押圧している位置よりも自由端側に接触させながら、前記最上ページを前記冊子の綴じ部方向に移動させることで、前記最上ページを前記押圧部材と分離部材との間で膨出させて、前記最上ページと次ページとを分離するページ分離手段と、前記ページ分離手段が膨出させて分離した前記最上ページの裏面側からシャフトを挿入し、当該シャフトを綴じ部側に移動させることで、前記最上ページをめくるページめくり手段と、前記ページ分離手段で膨出させた最上ページが、ページが重なっている状態、ページが１枚の状態、及びページが膨出されていない状態のいずれかにあるかを検知するページ状態検知手段と、前記押圧部材と分離部材との離間距離と、前記ページ分離手段で膨出させた最上ページが、ページが重なっている状態、ページが１枚の状態、及びページが膨出されていない状態のいずれか状態との関係を記憶した押圧位置テーブルを記憶する記憶手段と、前記ページ分離手段で前記最上ページを膨出させたときの、前記押圧部材の綴じ部からの位置と、前記ページ状態検知手段が検知した検知結果を前記押圧位置テーブルに記入する記入手段と、前記押圧位置テーブルを参照して、最上ページを分離する際の前記押圧部材と分離部材との離間距離を決定する押圧位置決定手段とを有し、前記ページめくり手段で最上ページをめくる前に、前記記入手段が押圧位置テーブルに検知結果を記入し、前記圧位置決定手段が最上ページを分離する際の前記押圧部材と分離部材との離間距離を決定するように構成したことを特徴とする。
このため、ページをめくる前に、最上ページと次ページを分離させるのに最適な、押圧部材と分離部材との離間距離を決定することができ、冊子の紙質が変わった場合であっても、確実にページを分離することができるため、２枚以上のページをめくってしまう重送や、ページをめくることができない空送の発生を回避することが可能となる。
【００１１】
請求項２に記載の発明は、請求項１に記載の発明において、ページ状態検知手段を、押圧部材の移動に随伴させるように構成したことを特徴とする。
このため、ページ状態検知手段と押圧部材との位置関係が常に一定に保たれる。従って、ページ分離時にページ状態検知手段は、最上ページが膨出した位置に常に位置されることから、最上ページの状態を確実に検知することが可能となる。
【００１２】
請求項３に記載の発明は、請求項１又は請求項２のいずれかに記載のページめくり機構と、前記ページめくり機構がめくった後に、新しく見開かれたページを読み取る読取部と、
を有することを特徴とする。
このため、読取して電子化する冊子のページの紙質が変わったとしても、２枚以上のページをめくってしまう重送や、をめくることができない空送の発生を防止することが可能となり、重送によりページが欠損して電子化されることや、空送によりページが読取されない問題を防止することが可能となった。
【図面の簡単な説明】
【００１３】
【図１】ページめくり機構付冊子読取装置の全体図である。
【図２】押圧部材移動機構の説明図である。
【図３】センサ取付部の説明図である。
【図４】めくり部材の説明図である。
【図５】ページめくり機構付冊子読取装置のブロック図である。
【図６】押圧位置テーブルの説明図である。
【図７】ページめくり読取処理のフロー図である。
【図８】ページ分離処理の説明図である。
【図９】ページ分離処理及び重送検知処理の説明図である。
【図１０】ページめくり処理の説明図である。
【図１１】ページめくり処理の説明図である。
【図１２】ページめくり処理の説明図である。
【発明を実施するための形態】
【００１４】
（ページめくり機構付冊子読取装置の構造）
以下に図面を参照しつつ、本発明の好ましい実施の形態を示す。本発明のページめくり機構付冊子読取装置５０は、重ね合わされた複数枚のページ９０ａの一端が綴じ部９０ｂで綴じられた冊子９０のページ９０ａを、１ページずつめくりながら、新しく見開かれたページ９０ａを順次読取して、冊子９０の内容を電子化する装置である。
【００１５】
図１（Ａ）はページめくり機構付冊子撮像装置５０の平面図で、図１（Ｂ）はページめくり機構付冊子撮像装置５０の正面図である。１は保持部（保持手段）である。図１に示される実施形態では、保持部１は台形状である。この保持部１には、冊子９０が見開きの状態で載置されて、保持されるようになっている。
【００１６】
保持部１上を横切るように、押圧部材２が配設されている。押圧部材２は、図に示される実施形態では棒状であり、保持部１で見開き状態で保持された冊子の最上ページ９０ｄの一部を押圧する部材である。図１に示されるように、保持部１上に見開き状態で冊子９０が載置された冊子９０の綴じ部９０ｂと、押圧部材２とが平行になるように、押圧部材２が配設されている。押圧部材２は、押圧部材移動機構（移動手段）により、上下方向及び水平方向に移動可能となっている。図２に押圧部材移動機構の説明図を示す。図２において、（Ａ）は押圧部材移動機構の上面図、（Ｂ）は押圧部材移動機構の正面図、（Ｃ）は押圧部材上下動機構の説明図である。押圧部材移動機構は、押圧部材２を水平方向に移動させる押圧部材水平動機構と、押圧部材２を上下方向に移動させる押圧部材上下動機構から構成されている。
【００１７】
押圧部材上下動機構は、図２の（Ｂ）に示される実施形態では、ラック３、ギア４、押圧部材上下動用モータ３１、そして、基部材５とから構成されている。ラック３は、基部材５に上下方向移動可能に取り付けられている。押圧部材２は、ラック３の下端に取り付けられている。押圧部材上下動用モータ３１は、基部材５に取り付けられている。押圧部材上下動用モータ３１の回転軸には、ギア４が取り付けられている。ギア４は、ラック３と係合している。押圧部材上下動用モータ３１を駆動することにより、押圧部材２が上下方向に移動するようになっている。
【００１８】
押圧部材水平動機構（移動手段）は、図２の（Ａ）や（Ｂ）に示されるように、環状ベルト６と、押圧部材水平動用モータ３３とから構成されている。環状ベルト６は、長手方向が水平方向となるように配設されている。環状ベルト６には、押圧部材上下動機構の基部材５が取り付けられている。環状ベルト６は、押圧部材水平動用モータ３３により、回転されるようになっている。押圧部材水平動用モータ３３が駆動することにより、基部材５が水平方向に移動し、更に、押圧部材２が水平方向に移動するようになっている。基部材５の上方には、基部材５の移動方向に沿ってストッパー７が配設されている。押圧部材２での最上ページ９０ｄの押圧時に、基部材５がストッパー７に当接し、基部材５の浮き上がりが防止される。
【００１９】
保持部１上には、分離部材１０が配設されている。図１に示されるように、保持部１上に見開き状態で冊子９０が載置された冊子９０の綴じ部９０ｂと、分離部材１０とが平行になるように、分離部材１０が配設されている。分離部材１０は、押圧部材２よりも、保持部１の端部１ａ側に配設されている。言い換えると、分離部材１０は、冊子９０が見開き状態で保持部１に載置された状態で、冊子９０の自由端９０ｃ側に位置している。分離部材１０の下端には、ゴム等の摩擦係数が大きい材質で構成された高摩擦部１０ａが形成されている。
【００２０】
分離部材１０は、分離部材移動機構により、上下方向及び水平方向に移動可能となっている。なお、分離部材移動機構の構造は、前述した押圧部材移動機構と同様であるので、詳細な説明は省略する。分離部材１０は、分離部材上下動用モータ３５（図５に示す）により、上下方向に移動されるようになっている。また、分離部材１０は、分離部材水平動用モータ３５（図５に示す）により、水平方向に移動されるようになっている。
【００２１】
図９や図１０に示されるように、分離部材１０の高摩擦部１０ａは、最上ページ９０ｄの押圧部材２で押圧している位置よりも自由端９０ｃ側に接触する。そして、分離部材１０は、冊子９０の綴じ部９０ｂ方向に移動されることで、最上ページ９０ｄを冊子９０の綴じ部９０ｂ方向に移動させる。すると、最上ページ９０ｄは、冊子９０の綴じ部９０ｂ方向に移動されることで、押圧部材２と分離部材１０との間で上方に膨出する。即ち、最上ページ９０ｄが次ページ９０ｅから分離される（図１０に示す）。前述したように、分離部材１０の下端には、高摩擦部１０ａが形成されているので、最上ページ９０ｄを分離する際に、最上ページ９０ｄと分離部材１０とが滑らず、最上ページ９０ｄを上方に膨出させることができるようになっている。
【００２２】
環状ベルト６には、図３に示されるセンサ支持部材９が、その取付部９ｂで取り付けられている。図１の（Ａ）に示されるように、センサ支持部材９は、押圧部材２と分離部材１０の間に配設されている。センサ支持部材９は、取付部９ｂと、この取付部９ｂに対して摺動自在に取り付けられた摺動部材９ａとから構成されている。摺動部材９の先端には、互いに対向するセンサ取付部９ｃ、９ｄが形成されている。センサ取付部９ｃ、９ｄには、それぞれ、送波部４１ａ、受波部４１ｂからなるページ状態検知センサ４１が取り付けられている。送波部４１ａと受波部４１ｂは互いに対向している。センサ支持部材９のセンサ取付部９ｃ、９ｄは、保持部１側を向いている。
【００２３】
摺動部材９は、ページ状態検知センサ移動用モータ４３（図５に示す）によって、保持部１側に退出動するようになっている。このため、図９の（２）に示されるように、上方に膨出された最上ページ９０ｄを、送波部４１ａと受波部４１ｂで挟んで、当該最上ページ９０ｄの状態（後述するように、ページが重なっている状態（重送）、ページが１枚の状態（１枚）、及びページが膨出されていない状態のいずれかの状態）を検知することができるようになっている。センサ支持部材９は、環状ベルト６に取り付けられているので、押圧部材２の水平方向の移動に随伴して移動するようになっている。このため、図９や図１０に示されるように、ページ分離時にセンサ支持部材９は、最上ページ９０ｄが膨出した位置に常に位置されることから、上方に膨出された最上ページ９０ｄを、送波部４１ａと受波部４１ｂで挟むことができ、当該最上ページ９０ｄの状態を確実に検知することができるようになっている。
【００２４】
１１はめくり部材である。図４に示されるように、めくり部材１１は、取付部１１ｂと、この取付部１１ｂに対して摺動自在に取り付けられためくりシャフト１１ａから構成されている。めくり部材１１の取付部１１ｂは、めくり部材水平動機構に取り付けられている。このため、めくり部材１１は水平方向に移動可能となっている。めくり部材水平動機構は、前述した押圧部材水平動機構と同様の構造である。めくり部材１１は、めくり部材水平動用モータ３９により、冊子９０の一方の自由端９０ｃ側から他方の自由端９０ｆ側又はこれと反対側に水平方向に移動されるようになっている。
【００２５】
めくりシャフト１１ａは、めくりシャフト差し込み用モータ４７（図５に示す）によって、保持部１側に退出動するようになっている。図１０の（２）の動作に示されるように、めくりシャフト１１は、上方に膨出された最上ページ９０ｄの裏面側に差し込まれ、図１２に示されるように、めくり部材１１が冊子９０の一方の自由端９０ｃ側から他方の自由端９０ｆ側に水平動されることにより、最上ページ９０ｄをめくることができるようになっている。
【００２６】
２４は読取部であり、新しく見開かれたページ９０ａを、順次読み取る装置である。読取部２４は、１列に配置されたＣＣＤやＣＭＯＳ等の受光素子を有していて、前記受光素子が光を受光することによって発生した電荷を読み取る装置である。読取部２４は、読取部移動用モータ４５（図５に示す）により、水平方向に移動可能となっている。このため、保持部１上に見開き状態で載置された冊子９０の一方の自由端９０ｆから他方の自由端９０ｃまで、読取部２４を移動させて、順次前記受光素子で読み取ることにより、前記ページ９０ａを読み取ることができるようになっている。或いは、２次元に配置された受光素子を有する読取部２４で、見開かれたページ９０ａを読み取る構成にしても差し支えない。
【００２７】
（ページめくり機構付冊子読取装置のブロック図）
図５にページめくり機構付冊子読取装置５０のブロック図を示して、当該ブロック図の説明をする。ページめくり機構付冊子読取装置５０は、ＣＰＵ２１、ＲＡＭ２２、ＲＯＭ２３、読取部ドライバ２５、インターフェース２７を有していて、これらは相互にバス４９で接続されている。読取部ドライバ２５には、読取部２４が接続している。モータドライバ３２、３４、３６、３８、４０、４４、４６、４８は、バス４９に接続している。
【００２８】
各モータドライバ３２、３４、３６、３８、４０、４４、４６、４８には、それぞれ、押圧部材上下動用モータ３１、押圧部材水平動用モータ３３、分離部材上下用モータ３５、分離部材水平動用モータ３７、めくり部材水平動用モータ３９、ページ状態検知センサ差し込み用モータ４３、読取部移動用モータ４５、めくりシャフト差し込み用モータ４７が接続している。前記各モータドライバは、接続する各モータに駆動電流を供給する電源回路である。
【００２９】
ページ状態検知センサ４１は、本実施形態では、送波部４１ａと受波部４１ｂとからなる超音波センサである。送波部４１ａは受波部４１ｂに超音波を送波する。
【００３０】
センサドライバ４２は、バス４９に接続している。センサドライバ４２には、ページ状態検知センサ４１が接続している。センサドライバ４２は、ページ状態検知センサ４１で検知した検知信号の物理的又は論理的な形式を変換し、バス４９に出力する。本実施形態では、センサドライバ４２は、後述するページ状態検知プログラム２３ｂからの命令に基づいて、送波部４１ａに超音波を出力させる信号を出力する。また、本実施形態では、センサドライバ４２は、Ａ／Ｄコンバータを有していて、受波部４１ｂで受波した超音波の強度に応じた検知信号を、デジタル信号の検知信号に変換し、バス４９に出力する。
【００３１】
ＣＰＵ２１は、ＲＡＭ２２、ＲＯＭ２３と協動して、各種演算、処理を行う。
【００３２】
ＲＡＭ２２（記憶手段）は、ＣＰＵ２１で処理されるプログラムや、ＣＰＵ２１が処理するデータを、そのアドレス空間に一時的に記憶する。ＲＡＭ２２は、押圧位置テーブル記憶領域２２ａを有している。ＲＡＭ２２の押圧位置テーブル記憶領域２２ａには、図６に示されるような、「押圧位置テーブル」が記憶されるようになっている。「押圧位置テーブル」は、押圧部材２と分離部材１０との離間距離（押圧部材と分離部材との離間距離（ｍｍ））と、ページ状態検知センサ４１が検出した検知信号の信号レベル（ページ状態センサ出力）及び、前記信号レベルに基づいて判断した最上ページ９０ｄの状態（ページの状態）との関係を表したテーブルである。なお、前記した膨出させた最上ページ９０ｄの状態とは、ページが重なっている状態（重送）、ページが１枚の状態（１枚）、及びページが膨出されていない状態（空送）のいずれかの状態である。なお、不揮発性メモリーをバス４９に接続し、この不揮発性メモリーの押圧位置テーブル記憶領域に「押圧位置テーブル」を記憶させても差し支えない。
【００３３】
ＲＯＭ２３には、ページめくり機構付冊子読取装置５０を制御する各種プログラムが記憶されている。ＲＯＭ２３には、ページ分離プログラム２３ａ、ページ状態検知プログラム２３ｂ、押圧位置テーブル作成プログラム２３ｃ、最適距離選択プログラム２３ｄ、ページめくりプログラム２３ｅ、読取プログラム２３ｆ等のプログラムが記憶されている。当該各種プログラムが、ＣＰＵ２１で処理されることにより、各種機能を実現している。
【００３４】
ページ分離プログラム２３ａは、モータドライバ３２、３４、３６、３８に制御信号を出力して、押圧部材上下動用モータ３１、押圧部材水平動用モータ３３、分離部材上下動用モータ３５、分離部材水平動用モータ３７を制御し、図９や図１０に示されるように、最上ページ９０ｄを、押圧部材２と分離部材１０との間で上方に膨出させて、冊子９０の最上ページ９０ｄと次ページ９０ｅとを分離させる。詳しくは、図７に示されるＳ２３、Ｓ３４「ページ分離」の処理で説明する。
【００３５】
ページ状態検知プログラム２３ｂは、センサドライバ４２に検知開始の命令を出力し、送波部４１ａで超音波を出力させる。また、ページ状態検知プログラム２３ｂは、受波部４１ｂで超音波が受波され、センサドライバ４２で変換して出力された検知信号に基づいて、めくろうとしている最上ページ９０ｄが、重なっている状態（重送）か、１枚の状態か、ページ９０ａが上方に膨出されていない状態（空送）かを判断する。詳しくは、図７に示されるＳ２４「ページ状態検知」の処理で説明する。
【００３６】
押圧位置テーブル作成プログラム２３ｃ（記入手段）は、前記したページ状態検知プログラム２３ｂが検知したページ９０ａの状態の情報に基づいて、前述した「押圧位置テーブル」（図６に示す）を作成する。詳しくは、図７に示されるＳ２７「結果を押圧位置テーブルへ記入」の処理で説明する。
【００３７】
最適距離選択プログラム２３ｄ（押圧位置決定手段）は、図６に示される「押圧位置テーブル」を参照して、最上ページ９０ｄと次ページ９０ｅとを分離するに際して、重送や空送が起こらない最適な押圧部材２と分離部材１０との離間距離を選択する。詳しくは図７に示されるＳ３１「押圧位置テーブルから最適距離を選択」の処理で説明する。
【００３８】
ページめくりプログラム２３ｅは、モータドライバ４０、４８に制御信号を出力することにより、めくり部材水平動用モータ３９及びめくりシャフト差し込み用モータ４７を駆動させて、めくりシャフト１１ａで最上ページ９０ｄをめくらせる。詳しくは、図７に示されるＳ３５「シャフト挿入」の処理、及びＳ３６「ページめくり」の処理で説明する。
【００３９】
読取プログラム２３ｆは、読取部ドライバ２５に読取開始命令を、モータドライバ４６に制御信号を出力することにより、読取部２４で、新しく見開かれたページ９０ａを読取させる。詳しくは、図７に示されるＳ３７「ページ読取」の処理で説明する。
【００４０】
なお、ページ分離プログラム２３ａ、ページ状態検知プログラム２３ｂ、押圧位置テーブル作成プログラム２３ｃ、最適距離選択プログラム２３ｄ、ページめくりプログラム２３ｅ、読取プログラム２３ｆを、ＡＳＩＣ（ＡｐｐｌｉｃａｔｉｏｎＳｐｅｃｉｆｉｃ Ｉｎｔｅｇｒａｔｅｄ Ｃｉｒｃｕｉｔ）として構成することとしても差し支えない。
【００４１】
読取部ドライバ２５は、Ａ／Ｄコンバータ、画像処理回路を有していて、読取部２４の各受光素子で読み取った電荷を階調表現し、画像データを生成する。
【００４２】
インターフェース２７は、信号の物理的又は論理的な形式を変換する。インターフェース２７には、例えば、パーソナルコンピュータ９９が接続されている。インターフェース２７の規格には、ＬＡＮ（Ｌｏｃａｌ  Ａｒｅａ  Ｎｅｔｗｏｒｋの略）やＵＳＢ（Ｕｎｖｅｒｓａｌ  Ｓｅｒｉａｌ  Ｂｕｓの略）が含まれる。パーソナルコンピュータ９９からインターフェース２７に入力された伝送信号は、インターフェース２７で変換されて、バス４９に出力される。また、バス４９からインターフェース２７に入力された信号は、インターフェース２７で伝送信号に変換されて、パーソナルコンピュータ９９に出力される。ユーザは、パーソナルコンピュータ９９の入力装置（例えば、マウスやキーボード）を操作することにより、ページめくり機構付冊子読取装置５０を操作することができる。また、読取部２４で読取された画像データを、パーソナルコンピュータ９９に送信することにより、前記画像データをパーソナルコンピュータ９９で保存できるようになっている。インターフェース２７にタッチパネル等の操作部を接続し、当該操作部でページめくり機構付冊子読取装置５０を操作するように構成しても差し支えない。
【００４３】
（ページめくり読取処理のフローの説明）
ページめくり読取処理のフロー図を図７に示し、以下当該フローの説明をする。ユーザが、載置部１に冊子９０を見開き状態で載置し、更に、ユーザがパーソナルコンピュータ９９等の入力装置を操作することにより、冊子９０を順次読み取る命令が、インターフェース２７に入力されると、ページめくり読取処理が開始し、Ｓ１１の判断処理に進む。
【００４４】
Ｓ１１「押圧位置テーブルにデータ有り？」の判断処理において、ページ分離プログラム２３ａは、ＲＡＭ２２の押圧位置テーブル記憶領域２２ａに、「押圧位置テーブル」が記憶されているか、又は「押圧位置テーブル」に「ページの状態」が全て記入されているか否かを判断する。ページ分離プログラム２３ａが、ＲＡＭ２２の押圧位置テーブル記憶領域２２ａに、「押圧位置テーブル」が記憶されていないと判断した場合、又は「押圧位置テーブル」に「ページの状態」が全て記入されていないと判断した場合には（Ｓ１１がＮＯ）、Ｓ２１の処理に進む。一方で、ページ分離プログラム２３ａが、ＲＡＭ２２の押圧位置テーブル記憶領域２２ａに記憶された「押圧位置テーブル」に「ページの状態」が全て記入されていると判断した場合には、Ｓ３１の処理に進む。
【００４５】
Ｓ２１「押圧位置テーブルに基づいて押圧部材を移動」の処理において、ページ分離プログラム２３ａは、モータドライバ３４に制御信号を出力して、押圧部水平動用モータ３３を駆動させて、押圧部材２を水平方向に移動させる（図８の（１）の動作）。なお、押圧部材２は、「押圧位置テーブル」の「ページの状態」が未だ記入されていない「押圧部材と分離部材との離間距離」となるように移動される。Ｓ２１の処理が終了すると、Ｓ２２の処理に進む。
【００４６】
Ｓ２２「ページ押圧」の処理において、ページ分離プログラム２３ａは、モータドライバ３２に制御信号を出力し、押圧部材上下動用モータ３１を駆動させて、押圧部材２を下降させて、押圧部材２で最上ページ９０ｄを押圧させる（図８の（２）の動作）。Ｓ２２の処理が終了すると、Ｓ２３の処理に進む。
【００４７】
Ｓ２３「ページ分離」の処理において、ページ分離プログラム２３ａは、モータドライバ３６に制御信号を出力し、分離部材上下動用モータ３５を駆動させて、分離部材１０を下降させて、分離部材１０の高摩擦部１０ａを最上ページ９０ｄに接触させる。次に、ページ分離プログラム２３ａは、モータドライバ３８に制御信号を出力し、分離部材水平動用モータ３７を駆動させて、分離部材１０を押圧部材２側に移動させて、最上ページ９０ｄを押圧部材２と分離部材１０との間で上方に膨出させる（図９の（１）の動作）。この際に、押圧部材２と分離部材１０との離間距離が適正であれば、最上ページ９０ｄと次ページ９０ｅとが分離される。Ｓ２３の処理が終了すると、Ｓ２４の処理に進む。
【００４８】
Ｓ２４「ページ状態検知」の処理において、ページ状態検知プログラム２３ｂは、モータドライバ４４に制御信号を出力し、ページ状態検知センサ移動用モータ４３を駆動させて、摺動部材９ａを冊子９０側に移動させて、上方に膨出された最上ページ９０ｄを送波部４１ａと受波部４１ｂで挟ませる（図９の（２）の動作）。次に、ページ状態検知プログラム２３ｂは、センサドライバ４２に、送波部４１ａで超音波を送波させる命令を出力する。送波部４１ａで出力された超音波は、上方に膨出された最上ページ９０ｄを透過し、受波部４１ｂで受波される。受波部４１ｂで受波されさた超音波は、センサドライバ４２で「検知信号」に変換され、当該「検知信号」がバス４９を介して、ＲＡＭ２２に記憶される。ページ状態検知プログラム２３ｃは、ＲＡＭ２２に記憶された「検知信号」の大きさに応じて、最上ページ９０ｄに次ページ９０ｅや更に次ページが重なっている状態（重送）（図９の（Ｂ）の状態）、上方に膨出されたページ９０ａが最上ページ９０ｄ１枚だけの状態（図１０の（Ｂ）の状態）、最上ページ９０ｄが上方に膨出されていない状態（空送）のいずれかの状態を検知する。つまり、重送状態では、送波部４１ａで出力された超音波は、最上ページ９０ｄ及び次ページ９０ｅや更に次ページを透過する際に、複数回減衰するため、「検知信号」はかなり小さくなる。一方で、最上ページ９０ｄが上方に膨出されていない場合には、送波部４１ａで出力された超音波は、最上ページ９０ｄを透過しないので、減衰することなく、受波部４１ｂに到達し、「検知信号」が大きくなる。また、上方に膨出されたページ９０ａが最上ページ９０ｄ１枚の状態である場合には、送波部４１ａから送波された超音波は、最上ページ９０ｄを透過する際に、１回減衰するため、「検知信号」が少し小さくなる。「検知信号」をＲＡＭ２２に記憶すると、ページ状態検知プログラム２３ｄは、モータドライバ４４に制御信号を出力し、ページ状態検知センサ移動用モータ４３を駆動させて、送波部４１ａと受波部４１ｂを最上ページ９０ｄから抜く。Ｓ２４の処理が終了すると、Ｓ２７の処理に進む。
【００４９】
Ｓ２７「結果を押圧位置テープルへ記入」の処理において、押圧位置テーブル作成プログラム２３ｃは、Ｓ２４の処理で判断した結果を、図６に示される「押圧位置テーブル」に記入して、ＲＡＭ２２の押圧位置テーブル記憶領域２２ａに記憶させる。Ｓ２７の処理が終了すると、Ｓ２８の判断処理に進む。
【００５０】
Ｓ２８「押圧位置テーブル作成完了？」の処理において、押圧位置テーブル作成プログラム２３ｃは、図６に示される「押圧位置テーブル」の「ページの状態」にデータが全て記入されているか否かを判断する。押圧位置テーブル作成プログラム２３ｃが、「押圧位置テーブル」の「ページの状態」にデータが全て記入されていないと判断した場合には（Ｓ２８がＮＯ）、Ｓ２９の処理に進む。一方で、押圧位置テーブル作成プログラム２３ｃが、「押圧位置テーブル」の「ページの状態」にデータが全て記入されていて、「押圧位置テーブル」の作成が完了したと判断した場合には（Ｓ２８がＹＥＳ）、Ｓ３１の処理に進む。
【００５１】
Ｓ２９「押圧解除」の処理において、ページ分離プログラム２３ａは、モータドライバ３２に制御信号を出力し、押圧部材上下動用モータ３１を駆動させて、押圧部材２を上昇させて、最上ページ９０ｄから押圧部材２を離間させる。Ｓ２９の処理が終了すると、Ｓ２１の処理に進み、再び、Ｓ２１〜Ｓ２７の処理が実行される。
【００５２】
Ｓ３１「押圧位置テーブルから最適距離を選択」の処理において、最適距離選択プログラム２３ｄは、図６に示される「押圧位置テーブル」から、最上ページ９０ｄと次ページ９０ｅを順次分離するのに最適な押圧部材２と分離部材１０との離間距離を選択する。具体的には、最適距離選択プログラム２３ｄは、「ページの状態」が「１枚」となった「押圧部材と分離部材との離間距離」のうち、中間値を選択する。図６に示される実施形態では、「ページの状態」が「１枚」となった「押圧部材と分離部材との離間距離」である５０ｍｍ、６０ｍｍ、７０ｍｍのうち中間値である６０ｍｍを選択する。なお、図６の「押圧位置テーブル」に示されるように、押圧部材２とページ分離部材１０との離間距離が短いほど空送が起こりやすく、押圧部材２とページ分離部材１０との離間距離が長いほど重送が起こりやすくなっている。Ｓ３１の処理が終了すると、Ｓ３２の処理に進む。
【００５３】
Ｓ３２「最適距離に基づいて押圧部材を水平移動」の処理において、ページ分離プログラム２３ａは、モータドライバ３４に制御信号を出力して、押圧部水平動用モータ３３を駆動させて、Ｓ３１の処理で選択した「押圧部材と分離部材との離間距離」となるように押圧部材２を水平方向に移動させる（図８の（１）の動作）。Ｓ３２の処理が終了すると、Ｓ３３の処理に進む。
【００５４】
Ｓ３３「ページ押圧」の処理において、ページ分離プログラム２３ａは、モータドライバ３２に制御信号を出力し、押圧部材上下動用モータ３１を駆動させて、押圧部材２を下降させて、押圧部材２で最上ページ９０ｄを押圧させる（図８の（２）の動作）。Ｓ３３の処理が終了すると、Ｓ３４の処理に進む。
【００５５】
Ｓ３４「ページ分離」の処理において、ページ分離プログラム２３ａは、モータドライバ３６に制御信号を出力し、分離部材上下動用モータ３５を駆動させて、分離部材１０を下降させて、分離部材１０の高摩擦部１０ａを最上ページ９０ｄに接触させる。次に、ページ分離プログラム２３ａは、モータドライバ３８に制御信号を出力し、分離部材水平動用モータ３７を駆動させて、分離部材１０を押圧部材２側に移動させて、最上ページ９０ｄを押圧部材２と分離部材１０との間で上方に膨出させる（図９の（１）の動作）。この際に、最上ページ９０ｄと次ページ９０ｅとが分離される。Ｓ３４の処理が終了すると、Ｓ３５の処理に進む。
【００５６】
Ｓ３５「シャフト挿入」の処理において、ページめくりプログラム２３ｅは、モータドライバ４０に制御信号を出力し、めくり部材水平動用モータ３９を駆動させて、めくり部材１１を、押圧部材２と分離部材１０の間に移動させる（図１０の（１）の動作）。次に、ページめくりプログラム２３ｅは、モータドライバ４８に制御信号を出力し、めくりシャフト差し込み用モータ４７を駆動させて、めくりシャフト１１ａを、押圧部材２と分離部材１０との間で上方に膨出された最上ページ９０ｄの裏面側に差し込む（図１０の（２）の動作）。Ｓ３５の処理が終了すると、Ｓ３６の処理に進む。
【００５７】
Ｓ３６の処理「ページめくり」の処理において、ページめくりプログラム２３ｅは、モータドライバ３２、３４、３６、３８に制御信号を出力し、押圧部材２及び分離部材１０を、保持部１の端部１ａ側に退避させる（図１１の（１）の動作）。次に、ページめくりプログラム２３ｅは、モータドライバ４０に制御信号を出力し、めくり部材水平動用モータ３９を駆動させて、めくり部材１１を、冊子９０の綴じ部側９０ｂ、更に冊子９０の他方の自由端９０ｆ側に移動させる。すると、めくりシャフト１１ａの水平移動に伴って、最上ページ９０ｄが、綴じ部９０ｂを中心に回動されて、最上ページ９０ｄがめくられる（図１２（１）の動作）。Ｓ２１の処理が終了すると、Ｓ３７の処理に進む。
【００５８】
Ｓ３７「ページ読取」の処理において、読取プログラム２３ｆは、読取部ドライバ２５に、読取部２４での読取命令を出力するとともに、モータドライバ３６に制御信号を出力し、読取部移動用モータ４５を駆動させて、読取部２４を冊子９０の一方の自由端９０ｆから他方の自由端９０ｃ側に移動させて、読取部２４で新しく見開かれたページ９０ａを読取させる。読取部ドライバ２５は、読取部２４の各受光素子で読み取った電荷を階調表現し、画像データを生成する。当該画像データは、インターフェース２７を介して、パーソナルコンピュータ９９等に出力される。Ｓ３７の処理が終了すると、Ｓ３９の判断処理に進む。
【００５９】
Ｓ３８「終了？」の判断処理において、ユーザがパーソナルコンピュータ９９等を操作することにより、ページ９０ａの読取を終了させることを選択し、ページ９０ａの読取を終了させる信号が、インターフェース２７に入力された場合には（Ｓ３８がＹＥＳ）、ページめくり読取処理が終了する。一方で、ページ９０の読取を終了させる信号が、インターフェース２７に入力されない場合には（Ｓ３８がＮＯ）、Ｓ３３の処理に戻る。
【００６０】
電子化される冊子９０としては、例えば新書、文庫本、雑誌等、様々な種類の冊子が考えられる。冊子９０の種類が変われば、ページ９０ａの紙質も変わる。このように本発明では、ページ９０ａをめくる前に、押圧部材２と分離部材１０との最適距離を決定することにしたので、読取して電子化する冊子９０ａのページ９０ａの紙質が変わったとしても、２枚以上のページ９０ａをめくってしまう重送や、ページ９０ａをめくることができない空送の発生を防止することが可能となり、重送によりページ９０ａが欠損して電子化されることや、空送によりページ９０ａが読取されないという問題を防止することが可能となった。
【００６１】
（総括）
なお、以上説明した実施形態では、押圧部材２側を水平方向に移動させて、押圧部材２と分離部材１０との離間距離を、重送や空送が起こらない最適距離に設定することにしているが、本発明のページめくり機構付冊子読取装置５０はこの実施形態に限定されず、分離部材１０側、或いは、押圧部材２と分離部材１０の両方を水平方向に移動させて、押圧部材２と分離部材１０との離間距離を、重送や空送が起こらない最適距離に設定する構成にしても差し支えない。
【００６２】
なお、本発明の技術的思想は、読取部２４や読取部ドライバ２８有さないページめくり機構に適用できることは勿論なことである。
【００６３】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うページめくり機構及びページめくり機構付冊子読取装置もまた技術的範囲に包含されるものとして理解されなければならない。     
【符号の説明】
【００６４】
１      保持部
１ａ    保持部の端部
２      押圧部材
３      ラック
４      ギア
５      基部材
６      環状ベルト
７      ストッパー
９      センサ取付部
９ａ    摺動部材
９ｂ    取付部材
９ｃ    センサ取付部
９ｄ    センサ取付部
１０    分離部材
１０ａ  高摩擦部
１１    めくり部材
１１ａ  めくりシャフト
１１ｂ  取付部
２１    ＣＰＵ
２２    ＲＡＭ
２２ａ  押圧位置テーブル記憶領域
２３    ＲＯＭ
２３ａ  ページ分離プログラム
２３ｂ  ページ状態検知プログラム
２３ｃ  押圧位置テーブル作成プログラム（記入手段）
２３ｄ  最適距離選択プログラム（押圧位置決定手段）
２３ｅ  ページめくりプログラム
２３ｆ  読取プログラム
２４    読取部
２５    読取部ドライバ
２７    インターフェース
３１    押圧部材上下動用モータ
３２    モータドライバ
３３    押圧部材水平動用モータ
３４    モータドライバ
３５    分離部材上下動用モータ
３６    モータドライバ
３７    分離部材水平動用モータ
３８    モータドライバ
３９    めくり部材水平動用モータ
４０    モータドライバ
４１    ページ状態検知センサ（ページ状態検知手段）
４１ａ  送波部
４１ｂ  受波部
４２    センサドライバ
４３    ページ状態検知センサ移動用モータ
４４    モータドライバ
４５    読取部移動用モータ
４６    モータドライバ
４７    めくりシャフト差し込み用モータ
４８    モータドライバ
４９    バス
５０    ページめくり機構付冊子読取装置
９０    冊子
９０ａ  ページ
９０ｂ  綴じ部
９０ｃ  冊子の自由端
９０ｄ  最上ページ
９０ｅ  次ページ
９０ｆ  冊子の自由端
９９    パーソナルコンピュータ
【図１】
2010228177.tif 000003
【図２】
2010228177.tif 000004
【図３】
2010228177.tif 000005
【図４】
2010228177.tif 000006
【図５】
2010228177.tif 000007
【図６】
2010228177.tif 000008
【図７】
2010228177.tif 000009
【図８】
2010228177.tif 000010
【図９】
2010228177.tif 000011
【図１０】
2010228177.tif 000012
【図１１】
2010228177.tif 000013
【図１２】
2010228177.tif 000014